(57)【要約】      （修正有）【課題】タングプレートを係合部材に装着させる安全ベルト用のバックルにおいて、タングプートが片効き状態となるのを防止して、装着時における安全性を確保する。【解決手段】係合部材に、タングプートを係合させた場合、タングプレートの上下片間に入り込む板材を配置させ、板材の上下辺がタングプレートの上下片部に接触又は近接し、タングプレートが、差し入れ方向側に傾斜するのを防止するように形成した安全ベルト用バックル。【選択図】図１
2007313048.tif 000002
【特許請求の範囲】
【請求項１】
係合突起５がバネ６により外側方向を向くように付勢された一対のロック片４・４を配置した係合部材２と、上下片８・８に係合突起５内が入り込む孔７を形成したタングプレート３とから成り、タングプレート３を係合部材２の前方から差し入れることにより、タングプレート３を係合部材２に係合させるように構成した安全ベルト用のバックルにおいて、係合部材２に、タングプート３を係合させた場合、タングプレート３の上下片８・８間に入り込む板材９を配置させ、板材９の上下辺１０・１０がタングプレート３の上下片部８・８に接触又は近接し、タングプレート３が、差し入れ方向側に傾斜するのを防止するように形成したことを特徴とする安全ベルト用バックル。
【発明の詳細な説明】
【技術分野】
【０００１】
この発明は、建設工事現場等の高所で作業を行なう際に、作業者の腰に装着する安全ベルトのバックルに関するものである。
【背景技術】
【０００２】
バックルを装着した安全ベルトは、安全ベルトの装着や取り外しをワンタッチ操作により行なうことが出来、最近の安全ベルトは、バックル式の安全ベルトが多用されている。
【０００３】
このような安全ベルト用バックルとして、特開２００２−３１３号の公報に記載のものが知られている。
【特許文献１】特開２００２−３１３号公報
【発明の開示】
【発明が解決しようとする課題】
【０００４】
特開２００２−３１３号公報に記載のものは、バックルを、係合部材とタングプレートから構成し、係合部材にバネ付勢された一対のロック片を組み込むとともに、タンクグプレートの差し入れ部を「コ」字状形状にし、その上下片部に係合孔を形成し、タングプレートを係合部材の前方から差し入れることにより、タングプレートに形成した上下の孔に、それぞれのロック片を係合させ、それによりタングプレートを係合部材に係合させ得る構成となっているのである。
【０００５】
従って、タングプレートを係合部材に装着させる際に、タングプートが傾斜状になって入り込んだ場合、一方のロック片によりタングプレートの一方の片部が係合されるが、他方のロック片によりタングプレートの他方片部が係合されないような状態となり、また、両方の片部がロックされていたタングプレートのロック状態が偶然に外れて、片効き状態となる危険性があるのである。
【課題を解決するための手段】
【０００６】
一対のロック片を配置した係合部材と、係合部材に形成した係合突起に係合するよしに形成したタングプレートとから成り、タングプレートを係合部材の前方から差し入れることにより、タングプレートを係合部材に係合させるように構成した安全ベルト用のバックルにおいて、係合部材に、タングプートを係合させた場合、タングプレートの上下片間に入り込む板材を配置させ、板材の上下辺がタングプレートの上下片部に接触又は近接させることによって、タングプレートが傾斜して誤作動を起こすのを防止しようとするものである。
【発明の効果】
【０００７】
この発明にかかる安全ベルト用バックは、係合部材の前方からタングプレートを差し入れた場合、タングプレートの上下片の間に入り込む板材を配置させた構成となっているため、タングプレートを係合部材に係合させた場合に、板材の上下辺がタングプレートに接触又は近接した状態となるため、タングプレートが係合部材内で傾斜し、係合突起が片効き状態となって不用意に外れるのを防止し、作業中における作業員の安全性を向上させるという利点があるのである。
【実施例】
【０００８】
図面に基づいてこの発明の実施例を説明すると、安全ベルトの一方端部には取り付けられる係合部材２と、安全ベルト１１の他方端部に取り付けられるタングプレート３とから成り、係合部材２は、基部側に安全ベルトの端部を装着させるための細長状の切り込み孔１２を、また、先端部にタングプレート３の挿入口１３が形成されており、その中央部には２本の固定軸１４・１４が立設されており、該固定軸１４・１４にバネ６を組み込んでロック片を４取り付けることにより、ロック片４・４が常時外側方向を向くように付勢された構成となっているのである。
【０００９】
また、ロック片４・４の後方部には、バネ１５により前方側に付勢する制御板１６の幅狭部１７が入り込んだ構成となっており、ロック片４・４を押し下げた場合、制御板１６の後端突出部１８・１８がロック片４・４の後端部に入り込むことにより、ロック片４・４が押し下がったままの状態になり、タングプレート３を係合部材２の前方からスムーズに挿入させ得るように構成されているのである。
【００１０】
係合部材２の前方側からタングプレート３を押し入れた場合、タングプレート３の先端部が制御板１５の先端部に当接して後方側に押しやった状態となり、後端突出部１８・１８によるロック片４・４の制御が外れ、ロック片４・４は外側方向への制御が復活し、ロック片４・４の係合突起５・５がタングプレート２の孔７・７内に入り込み、係合部材２とタングフレート３とが係合状態となるのである。
【００１１】
また、係合部材２の後方部には、２本の支柱２０・２０が立設されており、その上端部と、前方側に立設した２本の固定軸１４・１４の上端部とに、板材９に形成した４個の孔２１を差し入れた後、その上端部にカシメ加工を施すことにより、係合部材２に板材９が固定され、係合部材２に、タングプート３を係合させた場合、タングプレート３の上下片８・８間に板材９の先端部が入り込むようになっており、板材９の上下辺１０・１０がタングプレート３の上下片部８・８に接触又は近接して、係合部材２に対してタングプレート３が傾斜した状態となるのを防止する構成となっているのである。
【００１２】
タングプレート３は、金属板を打ち抜き加工することにより、基端部側にベルト挿通孔２２を形成するとともに、先端部を「コ」字状に折り曲げ、その上下片８・８に、係合突起５内に入り込む孔７を形成した構成となっているのである。
【００１３】
バックルを構成する係合部材２、並びに、タングプレート３は上記のような構成でとなっており、安全ベルトの一方端部を係合部材２のベルト通し孔１２に、また、安全ベルトの他方端部をタングプレート３に形成したベルト通し孔１２に係合させることによって安全ベルトに構成し、また、係合部材２の上面部は、樹脂ケースで覆われた構成となっているのである。
【図面の簡単な説明】
【００１４】
【図１】係合部材の分解斜視図である。
【図２】タングプレートの斜視図である。
【図３】バックルの全体を示す正面図である。
【符号の説明】
【００１５】
２      係合部材
３      タングフレート
４      ロック片
５      係合突起
８      上下片
９      板材
１０      板材９の上下辺
【図１】
2007313048.tif 000003
【図２】
2007313048.tif 000004
【図３】
2007313048.tif 000005